(57)【要約】  光透過表示領域と、前記光透過表示領域を取り囲むメイン表示領域とを含む表示パネル及び表示装置であって、前記表示パネルは大量のレンダリング画素ユニットから構成され、前記レンダリング画素ユニットはメイン表示領域に設けられる複数の第１レンダリング画素ユニットと、前記光透過表示領域に設けられる複数の第２レンダリング画素ユニットとを含む。本発明は、光透過表示領域の第２レンダリング画素ユニットの密度を低減して、より高い光透過率を取得し、表示装置がより良い撮影効果を取得することができ、光透過表示領域の第２レンダリング画素ユニットには、従来のＲＧＢサブ画素を採用して配列されることによって、画素低減による光透過表示領域の色ズレの問題を解決することができる。【選択図】図３
2021524048.tif 000002
【特許請求の範囲】
【請求項１】
光透過表示領域と、前記光透過表示領域を取り囲むメイン表示領域とを含む表示パネルであって、
前記表示パネルが複数のレンダリング画素ユニットから構成され、
前記レンダリング画素ユニットは、メイン表示領域に設けられる複数の第１レンダリング画素ユニットと、前記光透過表示領域に設けられる複数の第２レンダリング画素ユニットとを含み、
前記第１レンダリング画素ユニットは、前記メイン表示領域を発光表示させるためにＰｅｎｔｉｌｅ配列を採用し、
前記第２レンダリング画素ユニットは、前記光透過表示領域を発光表示させるために従来のＲＧＢ配列を採用する表示パネル。
【請求項２】
前記メイン表示領域において、第１レンダリング画素ユニットのそれぞれは、少なくとも１つの第１サブ画素を含み、
前記光透過表示領域において、第２レンダリング画素ユニットのそれぞれは、少なくとも１つの第２サブ画素を含む請求項１に記載の表示パネル。
【請求項３】
前記複数の第１レンダリング画素ユニットが前記メイン表示領域に行列状に分布され、
前記複数の第２レンダリング画素ユニットが前記光透過表示領域に行列状に分布され、
前記第１サブ画素の面積が前記第２サブ画素の面積よりも大きい請求項２に記載の表示パネル。
【請求項４】
前記複数の第２レンダリング画素ユニットの密度は、前記複数の第１レンダリング画素ユニットの密度よりも疎である請求項１に記載の表示パネル。
【請求項５】
前記複数の第１レンダリング画素ユニットが前記メイン表示領域に行列状に分布され、
前記光透過表示領域において、前記複数の第２レンダリング画素ユニットは、行列状に分布されて少なくとも２行の画素ユニットを形成し、
前記行画素ユニットは、奇数行画素ユニット及び偶数行画素ユニットを含み、
前記奇数行画素ユニットの第２レンダリング画素ユニットと前記偶数行画素ユニットの第２レンダリング画素ユニットとが千鳥状に配列されている請求項４に記載の表示パネル。
【請求項６】
前記第１サブ画素は、赤色サブ画素、緑色サブ画素又は青色サブ画素のいずれかであり、
前記第２サブ画素は、赤色サブ画素、緑色サブ画素又は青色サブ画素のいずれかである請求項２に記載の表示パネル。
【請求項７】
前記第２レンダリング画素ユニットのそれぞれは、それぞれ赤色サブ画素、緑色サブ画素及び青色サブ画素という３つの第２サブ画素を含む請求項２に記載の表示パネル。
【請求項８】
前記第１レンダリング画素ユニットのそれぞれは２つの第１サブ画素を含む場合に、前記第１レンダリング画素ユニットには、赤色サブ画素及び緑色サブ画素、又は青色サブ画素及び緑色サブ画素、又は青色サブ画素及び赤色サブ画素が順に設けられる請求項２に記載の表示パネル。
【請求項９】
前記表示パネルは、
基板と、
前記基板に設けられる第１電極と、
前記第１電極の基板から遠い側に設けられる正孔注入層と、
前記正孔注入層の前記第１電極から遠い側に設けられる正孔輸送層と、
前記正孔輸送層の前記正孔注入層から遠い側に設けられる第１発光層と、
前記第１発光層の前記正孔輸送層から遠い側に設けられる電子輸送層と、
前記電子輸送層の前記発光層から遠い側に設けられる第２電極と、
前記第２電極の前記電子輸送層から遠い側に設けられる第１封止層と、を含む請求項１に記載の表示パネル。
【請求項１０】
請求項１に記載の表示パネルを含み、前記表示パネルの下方に設けられて、前記光透過表示領域に対応する撮像モジュールをさらに含む表示装置。
【発明の詳細な説明】
【技術分野】
【０００１】
本発明は、表示分野に関し、特に表示パネル及び表示装置に関する。
【背景技術】
【０００２】
携帯電話業界の発展に伴い、携帯電話の表示画面の機能も増加している。既存の携帯電話の表示画面には、カメラモジュールが設けられるのが一般的である。カメラ装置は、表示画面から離れて配置される必要があるため、表示画面を配置するために利用可能な面積が減少し、これは、現在のスマートフォンの表示画面の画面占有率が益々大きくなる傾向とは反対である。
【０００３】
現在、撮像モジュールは、今の携帯電話に不可欠な一部として、画面占有率を最大化するために、どのようにカメラを表示画面と一体化するかが、至急に解決する必要がある問題である。従来の技術的手段は、通常、フロントカメラを表示画面の外側に設計し、したがって、フロントカメラを収容するために表示画面の寸法を縮小しなければならず、これにより、携帯電話の撮像領域がコンテンツを正常に表示することができず、最終的に、携帯電話の大部分が異形切断設計しか行うことができない。
【発明の概要】
【発明が解決しようとする課題】
【０００４】
したがって、撮像領域における表示画面の光透過率及び光透過均一性を向上させ、従来技術の表示パネルがフロントカメラに対応できないという問題を解決する新規な表示パネル及び表示装置を提供する必要がある。
【課題を解決するための手段】
【０００５】
本発明の目的は、表示パネルをメイン表示領域と光透過表示領域とに区分し、光透過表示領域の第２レンダリング画素ユニットの密度を低減して、より高い光透過率を取得し、表示装置がより良い撮影効果を取得する表示パネル及び表示装置を提供することにあり、光透過表示領域の第２レンダリング画素ユニットには、従来のＲＧＢサブ画素を採用して配列されることによって、画素密度の低減による光透過表示領域の色ズレの問題を解決することができる。
【０００６】
本発明は、光透過表示領域と、前記光透過表示領域を取り囲むメイン表示領域とを含み、複数のレンダリング画素ユニットから構成される表示パネルを提供し、前記レンダリング画素ユニットはメイン表示領域に設けられる複数の第１レンダリング画素ユニットと、前記光透過表示領域に設けられる複数の第２レンダリング画素ユニットとを含み、前記第１レンダリング画素ユニットは、前記メイン表示領域を発光表示させるためにＰｅｎｔｉｌｅ配列を採用し、前記第２レンダリング画素ユニットは、前記光透過表示領域を発光表示させるために、従来のＲＧＢ配列を採用する。
【０００７】
さらに、前記メイン表示領域において、第１レンダリング画素ユニットのそれぞれは少なくとも１つの第１サブ画素を含み、前記光透過表示領域において、第２レンダリング画素ユニットのそれぞれは少なくとも１つの第２サブ画素を含む。
【０００８】
さらに、前記複数の第１レンダリング画素ユニットが前記メイン表示領域に行列状に分布され、前記複数の第２レンダリング画素ユニットが前記光透過表示領域に行列状に分布され、前記第１サブ画素の面積が前記第２サブ画素の面積よりも大きい。
【０００９】
さらに、前記複数の第２レンダリング画素ユニットの密度は、前記複数の第１レンダリング画素ユニットの密度よりも疎である。
【００１０】
さらに、前記複数の第１レンダリング画素ユニットは、前記メイン表示領域に行列状に分布され、前記光透過表示領域において、前記複数の第２レンダリング画素ユニットが行列状に分布されて少なくとも２行の画素ユニットを形成し、前記行画素ユニットは、奇数行画素ユニット及び偶数行画素ユニットを含み、前記奇数行画素ユニットの第２レンダリング画素ユニットと、前記偶数行画素ユニットの第２レンダリング画素ユニットとは千鳥状に配列されている。
【００１１】
さらに、前記第１サブ画素は、赤色サブ画素、緑色サブ画素又は青色サブ画素のいずれかであり、前記第２サブ画素は、赤色サブ画素、緑色サブ画素又は青色サブ画素のいずれかである。
【００１２】
さらに、前記第２レンダリング画素ユニットのそれぞれは、それぞれ赤色サブ画素、緑色サブ画素及び青色サブ画素という３つの第２サブ画素を含む。
【００１３】
さらに、前記第１レンダリング画素ユニットのそれぞれは２つの第１サブ画素を含む場合に、前記第１レンダリング画素ユニットには、赤色サブ画素及び緑色サブ画素、又は青色サブ画素及び緑色サブ画素、又は青色サブ画素及び赤色サブ画素が順に設けられる。
【００１４】
さらに、前記表示パネルは、基板と、前記基板に設けられる第１電極と、前記第１電極の基板から遠い側に設けられる正孔注入層と、前記正孔注入層の前記第１電極から遠い側に設けられる正孔輸送層と、前記正孔輸送層の前記正孔注入層から遠い側に設けられる第１発光層と、前記第１発光層の前記正孔輸送層から遠い側に設けられる電子輸送層と、前記電子輸送層の前記発光層から遠い側に設けられる第２電極と、前記第２電極の前記電子輸送層から遠い側に設けられる第１封止層と、含む。
【００１５】
本発明は、前記表示パネルと、前記表示パネルの下方に設けられて、前記光透過表示領域に対応する撮像モジュールとを含む表示装置をさらに提供する。
【発明の効果】
【００１６】
本発明に係る表示パネル及び表示装置は、表示パネルをメイン表示領域と光透過表示領域とに区分して、光透過表示領域の第２レンダリング画素ユニットの密度を低減して、より高い光透過率を取得し、表示装置がより良い撮影効果を取得することができ、光透過表示領域の第２レンダリング画素ユニットには、従来のＲＧＢサブ画素を採用して配列されることによって、第２レンダリング画素ユニットの密度低減による光透過表示領域の色ズレの問題を解決することができる。
【図面の簡単な説明】
【００１７】
以下、本発明の実施例における技術的手段をより明確に説明するために、実施例の説明に使用する添付図面を簡単に紹介し、以下に説明する図面は、本発明の幾つかの実施例に過ぎなく、当業者にとっては創造的努力なしにこれらの図面から他の図面を導き出すこともできることは明らかである。
【図１】図１は本発明の一実施例に係る表示パネルの平面概略図である。
【図２】図２は本発明の一実施例に係る表示パネルのメイン表示領域の部分構成概略図である。
【図３】図３は本発明の一実施例に係る表示パネルの光透過表示領域の部分構成概略図である。
【図４】図４は本発明の一実施例に係る表示パネルの構成概略図である。
【図５】図５は本発明に係る表示装置の構成概略図である。
【図６】図６は本発明の他の実施例に係る表示パネルの光透過表示領域の部分構成概略図である。
【発明を実施するための形態】
【００１８】
以下、本発明を実施するための特定の実施例を例示するために、添付されている図面を参照して各実施例を説明する。上、下、前、後、左、右、内、外、側などの本発明で言及される方向の用語は、単に図面を参照する方向に過ぎない。第１、第２などの本発明で言及される要素の名前は、異なる構成要素を区別するためのものに過ぎず、よりよく表現することができる。図面において、構造的に同様の要素は同じ符号で示されている。
【００１９】
本明細書は、図面を参照しながら本発明の実施例について詳細に説明する。本発明は、多くの異なる形態で実施することができ、本発明は、本明細書に記載の具体的な実施例に限定されると解釈されるべきではない。本発明の実施例は、当業者が本発明の様々な実施形態及び特定の意図する用途に適した様々な修正を理解できるように、本発明の実際の用途を説明するために提供される。
【００２０】
図１に示すように、本発明の一実施例に係る表示パネル１００は、光透過表示領域１２０と、前記光透過表示領域１２０を取り囲むメイン表示領域１１０とを含み、前記第１レンダリング画素ユニットは、前記メイン表示領域を発光表示させるためにＰｅｎｔｉｌｅ配列を採用し、前記第２レンダリング画素ユニットは、前記光透過表示領域を発光表示させるために、従来のＲＧＢ配列を採用する。したがって、前記光透過表示領域１２０と前記メイン表示領域１１０とは、いずれも前記表示パネル１００の表示画面に用いられて、本当のフルスクリーンを実現することができる。
【００２１】
同時に図２及び図３を参照して、前記表示パネル１００は、複数のレンダリング画素ユニットから構成され、前記レンダリング画素ユニットは、メイン表示領域１１０に設けられる複数の第１レンダリング画素ユニット１３０と、前記光透過表示領域１２０に設けられる複数の第２レンダリング画素ユニット１５０とを含む。
【００２２】
前記メイン表示領域１１０において、第１レンダリング画素ユニット１３０のそれぞれは、少なくとも１つの第１サブ画素１４０を含む。前記光透過表示領域１２０において、第２レンダリング画素ユニット１５０のそれぞれは、少なくとも１つの第２サブ画素１６０を含む。
【００２３】
前記第１サブ画素１４０は、赤色サブ画素、緑色サブ画素又は青色サブ画素のいずれかであり、前記第２サブ画素１６０は、赤色サブ画素、緑色サブ画素又は青色サブ画素のいずれかである。
【００２４】
前記複数の第１レンダリング画素ユニット１３０が前記メイン表示領域１１０に行列状に分布され、前記複数の第２レンダリング画素ユニット１５０が前記光透過表示領域１２０に行列状に分布される。
【００２５】
前記第１サブ画素１４０の面積は、前記第２サブ画素１６０の面積よりも大きい。これにより、前記第２レンダリング画素ユニット１５０の密度を前記第１レンダリング画素ユニット１３０よりも疎にすることができ、前記光透過表示領域１２０をより多くの外光が透過することを容易にすることができる。
【００２６】
本実施例において、前記第２レンダリング画素ユニット１５０は、それぞれ赤色サブ画素、緑色サブ画素及び青色サブ画素という３つの第２サブ画素１６０を含む。
【００２７】
前記第１レンダリング画素ユニット１３０が２つの第１サブ画素１４０を含む場合に、前記第１レンダリング画素ユニット１３０は、赤色サブ画素及び緑色サブ画素、又は青色サブ画素及び緑色サブ画素、又は青色サブ画素及び赤色サブ画素をそれぞれ含む。
【００２８】
本実施例において、前記光透過表示領域１２０の第２サブ画素１６０の面積を縮小して、前記第２レンダリング画素ユニット１５０の密度を前記第１レンダリング画素ユニット１３０よりも疎にすることによって、外光を効率的に透過させ、撮像モジュールが外光を収集し、前記光透過表示領域１２０の第２レンダリング画素ユニットにＲＧＢ方式で配列され、画素密度の低下による前記光透過表示領域１２０の色ズレ問題を改善することができ、前記光透過表示領域１２０をパネル表示させて全画面表示を実現することができる。
【００２９】
図４に示すように、前記表示パネル１００は、前記基板１０１に順に設けられている、第１電極１０２、正孔注入層１０３、正孔輸送層１０４、発光層１０５、電子輸送層１０６、第２電極１０７及び第１封止層１０８を含む。
【００３０】
前記基板１０１はフレキシブル基板であり、前記基板１０１の材料はポリイミドであり、前記ポリイミド材料は本発明の基板１０１にフレキシブル特性を持たせることができる。
【００３１】
前記第１電極１０２は、前記基板１０１に設けられており、前記第１電極１０２は陽極であり、前記第１電極１０２の材料は透明なＩＴＯである。
【００３２】
前記正孔注入層１０３は、前記第１電極１０２の基板１０１から遠い側に設けられ、前記正孔輸送層１０４は、前記正孔注入層１０３の前記第１電極１０２から遠い側に設けられ、
前記発光層１０５は、前記正孔輸送層１０４の前記正孔注入層１０３から遠い側に設けられ、前記発光層１０５は、少なくとも第１発光ユニット１０５１を有する。前記発光ユニット１０５１は、赤色発光ユニット、緑色発光ユニット又は青色発光ユニットのいずれかである。前記発光ユニット１０５１は、異なるサブ画素を異なる色の光を発光させるために用いられる。
【００３３】
本実施形態において、前記メイン表示領域１１０には、前記発光層１０５は行列状に分布される第１発光ユニット１０５１を複数有する。前記第１発光ユニット１０５１は、赤色発光ユニット、緑色発光ユニット及び青色発光ユニットを含む。前記第１発光ユニット１０５１は、従来のＯＬＥＤ発光ユニットである。前記第１発光ユニット１０５１は、前記第１サブ画素１４０を赤色、緑色又は青色の光を発光させる。
【００３４】
前記光透過表示領域１２０において、前記発光層１０５は、行列状に分布される第２発光ユニット１０５２を複数有する。前記第２発光ユニット１０５２は、赤色発光ユニット、緑色発光ユニット及び青色発光ユニットを含む。前記第１発光ユニット１０５２は、従来のＲＧＢ発光ユニットである。前記第２発光ユニット１０５１は、前記第２サブ画素１６０を赤色、緑色又は青色の光を発光させる。
【００３５】
前記電子輸送層１０６が前記発光層の前記正孔輸送層１０４から遠い側に設けられる。
前記第２電極１０７が前記電子輸送層１０６の前記発光層から遠い側に設けられ、前記第２電極１０７が陰極である。
【００３６】
前記封止層１０８は、前記第２電極１０７の前記電子輸送層１０６から遠い側に設けられ、前記封止層１０８が前記表示パネル１００を保護して、前記表示パネル１００の耐用年数を延長させることができる。
【００３７】
図５に示すように、本発明は、前記表示パネル１００と、前記表示パネル１００の下方に設けられて、前記光透過表示領域１２０に対応する撮像モジュール２０１とを含む表示装置２００をさらに提供する。且つ、前記表示パネル１００を前記メイン表示領域１１０と前記光透過表示領域１２０とに区分し、前記メイン表示領域１１０は、第１レンダリング画素ユニット１３０を用いて画素レンダリングを行い、前記第１レンダリング画素ユニット１３０は、第１サブ画素１４０を用いて組み合わせて、前記メイン表示領域１１０が画面表示を可能にし、前記光透過表示領域１２０において、前記第２レンダリング画素ユニット１５０を用いて画素レンダリングを行い、前記第２レンダリング画素ユニット１５０が第２サブ画素１６０を用いて組み合わせ、前記光透過表示領域１２０が画面表示を可能にし、前記表示装置２００が全画面表示を可能にする。
【００３８】
前記光透過表示領域１２０の第２サブ画素１６０の面積が前記メイン表示領域１１０の第１サブ画素１４０より小さく、前記第２レンダリング画素ユニット１５０の密度が前記第１レンダリング画素ユニット１３０の密度よりも疎にされることにより、光が前記光透過表示領域１２０をよりよく透過して、前記撮像モジュール２０１に受光されることができる。且つ前記光透過表示領域１２０の第２レンダリング画素ユニット１５０にＲＧＢサブ画素配列を採用することによって、前記光透過表示領域１２０の画素密度の低下による色ズレの問題を改善することができる。
【００３９】
図６に示すように、本発明は他の実施例をさらに提供し、他の実施例において、前記複数の第１レンダリング画素ユニット１３０が前記メイン表示領域１１０に行列状に分布される点で上述した実施例と異なる。前記光透過表示領域１２０において、前記複数の第２レンダリング画素ユニット１５０は、行列状に分布されて少なくとも２行の画素ユニットを形成し、前記行画素ユニットは、奇数行画素ユニット１７０及び偶数行画素ユニット１８０を含む。
【００４０】
前記奇数行画素ユニット１７０は、複数の前記第２レンダリング画素ユニット１５０からなり、前記偶数行画素ユニット１８０は、複数の前記第２レンダリング画素ユニット１５０からなり、前記奇数行画素ユニット１７０の第２レンダリング画素ユニット１５０が前記偶数行画素ユニットの第２レンダリング画素ユニット１５０と千鳥状に配列されている。
【００４１】
他の実施例において、光が透過する面積を増加させ、前記第２レンダリング画素ユニット１５０の密度を前記第１レンダリング画素ユニット１３０の密度よりも疎にすることによって、光が前記光透過表示領域１２０をより多く透過可能にする。
【００４２】
本発明は、２つの異なる実施形態の表示パネル及び表示装置を提供し、一実施例では、前記光透過表示領域１２０の第２サブ画素１６０の面積が前記メイン表示領域１１０の第１サブ画素１４０の面積より小さく、前記第２レンダリング画素ユニット１５０の密度が前記第１レンダリング画素ユニット１３０の密度よりも疎にされることにより、光が前記光透過表示領域１２０をよりよく透過して、前記撮像モジュール２０１に受光されることができる。且つ前記光透過表示領域１２０の第２レンダリング画素ユニット１５０に従来のＲＧＢ配列を採用することによって、前記光透過表示領域１２０の画素密度の低下による色ズレの問題を改善することができる。
【００４３】
他の実施例は、前記奇数行画素ユニット１７０の第２レンダリング画素ユニット１５０と前記偶数行画素ユニットの第２レンダリング画素ユニット１５０とが千鳥状に配列されている。前記第２サブ画素１６０の面積が前記第１サブ画素１４０と同じであることで、前記光透過面積を増加させ、前記第２レンダリング画素ユニット１５０の密度が前記第１レンダリング画素ユニット１３０の密度よりも疎にされ、前記光透過表示領域１２０の光透過率を増加させ、前記表示装置２００がより高い撮影効果を取得することができる。
【００４４】
本発明の技術的範囲は上記の説明の内容のみに限定されるものではなく、当業者が本発明の技術思想を逸脱することなく、前記実施例に種々の変形及び修正を加えることができ、これらもの変形及び修正もいずれも本発明の範囲に属するものである。
【図１】
2021524048.tif 000003
【図２】
2021524048.tif 000004
【図３】
2021524048.tif 000005
【図４】
2021524048.tif 000006
【図５】
2021524048.tif 000007
【図６】
2021524048.tif 000008
【国際調査報告】
2021524048.tif 000009
2021524048.tif 000010
2021524048.tif 000011
2021524048.tif 000012